(57)【特許請求の範囲】
【請求項１】
サーバがプログラムを実行してイベントに対する連絡者の一覧を出力するイベント支援方法において、
前記サーバが、利用者端末からイベントの中心となる従業員のＩＤを、受信するステップと、
前記サーバが、前記受信したＩＤをキーにして、当該サーバがアクセス可能な記憶装置内に格納されている、従業員のＩＤに対応づけて氏名、現在および過去の所属情報を少なくとも登録した従業員マスタを検索して一致するエントリの所属情報を読み出し、さらに、当該読み出した所属情報をキーにして、該従業員マスタを検索して該キーとした所属情報と同一の所属情報を有するエントリのＩＤのうち、前記受信したＩＤとは異なるＩＤと対応付けられているエントリの氏名を抽出するステップと、
前記サーバが、前記ステップで抽出した氏名の一覧を、前記イベントの中心となる従業員に関する連絡対象者一覧として出力するステップと
を有するイベント支援方法。
【請求項２】
前記従業員マスタはさらに、前記従業員のＩＤに対応付けて連絡先に関する情報を格納しており、前記連絡対象者一覧中の全連絡対象者に対応付けられている該連絡先あるいは指定された連絡対象者に対応付けられている該連絡先に、前記イベントに関する情報、参加の有無の回答欄、および必要に応じて参加費用と支払方法の回答欄を設定した電子データを前記利用者端末へ送信し、前記送信した利用者端末から回答を受信したか否かを表す情報を記録するステップを有する請求項１記載のイベント支援方法。
【請求項３】
サーバが実行してイベントに対する連絡者の一覧を出力するイベント支援プログラムにおいて、
前記サーバが、利用者端末からイベントの中心となる従業員のＩＤを、受信するステップと、
前記サーバが、前記受信したＩＤをキーにして、当該サーバがアクセス可能な記憶装置内に格納されている、従業員のＩＤに対応づけて氏名、現在および過去の所属情報を少なくとも登録した従業員マスタを検索して一致するエントリの所属情報を読み出し、さらに、当該読み出した所属情報をキーにして、該従業員マスタを検索して該キーとした所属情報と同一の所属情報を有するエントリのＩＤのうち、前記受信したＩＤとは異なるＩＤと対応付けられているエントリの氏名を抽出するステップと、
前記サーバが、前記ステップで抽出した氏名の一覧を、前記イベントの中心となる従業員に関する連絡対象者一覧として出力するステップと
として機能させるためのイベント支援プログラム。
【発明の詳細な説明】
【０００１】
【発明の属する技術分野】
本発明は、イベントの連絡者の一覧を提示するイベント支援方法およびイベント支援プログラムに関するものである。
【０００２】
【従来の技術】
従来、職場における冠婚葬祭などのイベント、例えば「Ａさんの結婚式」の場合には、イベントのまとめ役である友人の幹事さんが関係する人を抽出して文書を作成して送付して参加を依頼したり、電子メールを送付して参加を依頼したり、電話して状況を話して参加を依頼したり、参加費が必要な場合には個別に参加費を徴収したり、幹事さんの口座に振り込んでもらったり、更に、徴収済み、振込み済みを個別に管理していた。
【０００３】
【発明が解決しようとする課題】
このため、イベントのまとめ役は、イベントに関係して連絡する連絡者の一覧を作ったり、連絡者にイベントの文書を送付したり、参加／非参加の回答をもらったり、費用を徴収して管理したりなどそれぞれ個別に手作業で行なう必要があり、極めて大変で、ときとして過去の関係者がもれてしまったりなどの不手際が発生すると共に、多くの時間を要してしまうという問題があった。
【０００４】
本発明は、これらの問題を解決するため、イベント情報を登録すると、マスタを検索してイベント情報に関連する現在、過去に関係した連絡者を自動抽出し一覧を提示してもれをなくすと共に、Ｗｅｂページや電子メールなどで関係者にイベント情報、参加の有無、費用などを連絡して回答および費用の払込を受けて集計し、イベントにおける連絡者一覧をもれなく作成して配送し、回答を得て参加者、非参加者を自動集計して提示し、従来の幹事さんの手作業をなくすことを目的としている。
【０００５】
【課題を解決するための手段】
図１を参照して課題を解決するための手段を説明する。
【０００６】
図１において、サーバ１は、プログラムに従い各種処理を行なうものであって、イベント事務システム２および人事情報データベース４などから構成されるものである。
【０００７】
イベント事務システム２は、人事情報データベース４を参照し、イベントに対する連絡者の一覧を提示などするものである。
【０００８】
人事情報データベース４は、連絡対象者（例えば従業員）のＩＤに対応づけて氏名、過去と現在の所属情報などを登録したものである。
【０００９】
次に、動作を説明する。
【００１０】
イベント事務システム２がイベントの中心となる人のＩＤあるいは氏名の入力に対応して、人事情報データベース４から当該ＩＤあるいは氏名に対応する所属情報を抽出し、抽出した所属情報が同一あるいは必要に応じて類似の所属情報の他の氏名およびＩＤを抽出し、抽出した氏名およびＩＤの一覧を連絡対象者一覧として提示するようにしている。
【００１１】
この際、所属情報として現在および過去の所属情報とするようにしている。
【００１２】
また、所属情報として現在および過去の所属情報と当該所属情報に所属していた期間とするようにしている。
【００１３】
また、連絡対象者一覧中の全連絡対象者あるいは指定された連絡対象者に、イベント情報、参加の有無の回答欄、および必要に応じて参加費用と支払方法の回答欄を設定した電子データを送信あるいはアクセスさせ、送信あるいはアクセスしたときに済みを記録するようにしている。
【００１４】
また、連絡対象者から回答を受信したときに、連絡対象者一覧中から該当者の回答欄を受信済み、参加欄に参加の有無、必要に応じて参加費用欄に支払方法を記録するようにしている。
【００１５】
また、記録した回答欄、参加欄、および必要に応じて参加費用欄の情報を集計して一覧を作成して提示するようにしている。
【００１６】
従って、イベント情報を登録すると、人事情報データベース４を検索してイベント情報に関連する現在、過去に関係した連絡者を自動抽出し一覧を提示してもれをなくすと共に、Ｗｅｂページや電子メールなどで関係者にイベント情報、参加の有無、費用などを連絡して回答および費用の払込を受けて集計することにより、イベントにおける連絡者一覧をもれなく作成して配送し、回答を得て参加者、非参加者を自動集計して提示し、従来の幹事さんの手作業をなくすことが可能となる。
【００１７】
【発明の実施の形態】
次に、図１から図１９を用いて本発明の実施の形態および動作を順次詳細に説明する。
【００１８】
図１は、本発明のシステム構成図を示す。
【００１９】
図１において、サーバ１は、外部記憶装置あるいは記録媒体から読み出したプログラムを主記憶にローディングして起動し、各種処理を行なうものであって、ここでは、イベント事務システム２および人事情報データベース４などから構成されるものである。
【００２０】
イベント事務システム２は、テーブルおよび人事情報データベース４を参照し、イベントに対する連絡者の一覧を提示などするものであって、２１ないし２８などから構成されるものである。
【００２１】
イベント受付プログラム２１は、イベントを受け付けるものである。
【００２２】
通知先検索プログラム２２は、受け付けたイベントに対する関連者（通知先）を人事情報データベース４などを検索して抽出し、連絡先一覧を作成するものである。
【００２３】
イベント決済プログラム２２は、イベントの参加費用などを決済するものである。
【００２４】
参加者確認プログラム２４は、参加者の参加、非参加などを確認するものである。
【００２５】
利用履歴テーブル２５は、利用者履歴を管理するものである（図１９の（ａ）参照）。
【００２６】
通知履歴テーブル２６は、通知した履歴を管理するものである（図１９の（ｂ）参照S）。
【００２７】
回答履歴テーブル２７は、回答履歴を管理するものである（図１９の（ｃ）参照）。
【００２８】
決済履歴テーブル２８は、参加者などの決済履歴を管理するものである（図１９の（ｄ）参照）。
【００２９】
給与振込システム２９は、従業員の給与の振込を管理するものであって、ここでは、イベントの参加費を給与から天引きするものである。
【００３０】
経費精算システム３０は、会社の各種経費を精算するものである。
【００３１】
地図検索システム３１は、顧客先などへの道などの地図の検索システムである。
【００３２】
人事情報データベース４は、会社内の各種人事データベースであって、ここでは、４１から４６などから構成されるものである。
【００３３】
従業員マスタ４１は、会社の従業員ＩＤ（従業員コード）に対応づけて氏名、所属コード、連絡先などを登録したものである（図１８の（ａ）参照）。
【００３４】
所属マスタ４２は、所属コードに対応づけて所属名称などを登録したものである（図１８の（ｂ）参照）。
【００３５】
プロジェクトマスタ４３は、プロジェクトコードに対応づけてプロジェクト名称などを登録したものである（図１８の（ｂ）参照）。
【００３６】
従業員所属履歴テーブル４４は、従業員コードに対応づけて、所属コード、過去の所属した所属開始年月日、所属終了年月日などを登録したものである（図１８の（ｄ）参照）。
【００３７】
従業員プロジェクト参加履歴テーブル４５は、従業員コードに対応づけて、プロジェクトコード、過去の所属した所属開始年月日、所属終了年月日などを登録したものであ（図１８の（ｅ）参照）。
【００３８】
所属プロジェクト設定履歴テーブル４６は、コードに対応づけて、名称、設置開始年月日、設置終了年月日などを登録したものである（図１８の（ｆ）参照）。
【００３９】
ネットワーク５は、サーバ１と多数の利用者端末６とを接続するものである。
【００４０】
利用者端末６は、サーバ１にイベントを登録したり、サーバ１からＷｅｂページや電子メールてイベント情報などの送付を受けたりなどするものである。
【００４１】
以下順次詳細に説明する。
【００４２】
図２は、本発明の説明図を示す。
【００４３】
図２の（ａ）は、フローチャートを示す。
【００４４】
図２の（ａ）において、Ｓ１は、ログインする。これは、利用者が図１の利用者端末６を操作し、後述する図２の（ｂ）のイベント事務システム２のログイン画面上を表示させ、当該画面上で、
・従業員コード：
・パスワード：
を入力し、実行ボタンを押下し、イベント事務システム２が保持する図１９の（ｇ）の全社共通暗証テーブルを参照し、登録されている従業員コードかつパスワードであるかチェックし、従業員の個人認証を行い、ＯＫのときに次のＳ２に進む。ＮＯの場合には、所定回数だけ、Ｓ１を繰り返す。所定回数越えるとコードあるいはパスワード間違いメッセージを表示し、処理を終了する。
【００４５】
Ｓ３は、メニュー画面を表示する。これは、例えば後述する図２の（ｃ）のイベント事務システムのメニュー画面を表示する。ここでは、図２の（ｂ）で入力した従業員コード、当該従業員コードをもとに図１８の（ａ）の従業員マスタ４１を検索して取り出した氏名、更に、下段にイベントメニューを表示する。
【００４６】
Ｓ４は、メニューを選択する。ここでは、図２の（ｃ）のメニュー画面上に表示された
１．イベント登録
２．イベント参照／決済
３．参加者確認
の中から１つを選択し、選択に対応して、後述する、Ｓ４のイベント登録処理、Ｓ５のイベント参照／決済処理、あるいはＳ６の参加者確認処理のいずれかに進む。
【００４７】
Ｓ７は、終了か判別する。ＹＥＳの場合には、終了する。ＮＯの場合には、Ｓ２のメニュー画面を表示し、繰り返す。
【００４８】
図２の（ｂ）は、ログイン画面の例を示す。このログイン画面は、利用者が利用者端末６を操作してイベント事務システム２にログインするときに表示されるログイン画面の例であって、ここでは、図示の下記の情報を入力し、登録ボタンを押下して送信する。
【００４９】
・従業員コード：
・パスワード：
以上のログイン画面上で利用者が利用者端末６を操作して従業員コード、パスワードを入力して照合してＯＫのときに、イベント事務システム２の持つ各種機能を使用することができ、ここでは、イベントを登録したりなどすることが可能となる。
【００５０】
図２の（ｃ）は、メニュー画面の例を示す。このメニュー画面は、利用者がイベント事務システム２を使用してこれから行なおうとする処理を選択するものであって、ここでは、図示の下記の３つの中から１つを選択する。
【００５１】
１．イベント登録
２．イベント参照／決済
３．参加者確認
図３は、本発明の説明図（イベント登録）を示す。これは、図２の（ａ）のＳ５でメニュー画面上でイベント登録処理を選択したときの処理である。
【００５２】
図３において、Ｓ１１は、イベント受付する。これは、利用者が利用者端末６を操作し、イベント事務システム２にアクセスして後述する図４のイベント受付画面をダウンロードして表示させ、当該画面上からイベント種別などの必要な情報を入力し、登録ボタンを押下して図１のイベント事務システム２にアップロードし、当該イベント事務システム２がイベント受付する。
【００５３】
Ｓ１２は、通知先を検索する。これは、後述する図５および図６のフローチャートに従い、Ｓ１１で受け付けたイベントの通知者を検索し、通知者一覧を作成する。
【００５４】
Ｓ１３は、通知先を確認する。これは、Ｓ１２で検索した通知先を、後述する図７の画面上に表示して確認する。
【００５５】
Ｓ１４は、通知する。これは、Ｓ１３で確認した後の通知先（通知者）にイベント情報を通知、例えばＷｅｂページや電子メールで通知したりする。
【００５６】
図４は、本発明のイベント受付画面例を示す。これは、既述した図３のＳ１１で利用者が利用者端末６を操作してイベント事務システム２にアクセスし、ダウンロードして利用者端末６の表示装置上に表示したイベント受付画面の例であって、ここでは、図示の下記の情報を表示する。
【００５７】
・従業員コード：
・氏名        ：
・通知対象者：
□現在の所属部署内：
□過去の所属部署内：
□現在の参加プロジェクト内：
□過去の参加プロジェクト内：
・イベント種類：結婚式
・イベント名称：斎藤隆さん結婚式
・開催日時    ：２００２年２月１１日午後２時
・参考情報    ：「○○生命調査平均」上司５００００円、同僚３００００円
・コメント    ：場所は○○です。
【００５８】
地図は：ｈｔｔｐ：／／・・・をご覧ください。
【００５９】
ここで、従業員コードはログイン時に入力した従業員コードをそのまま表示し、氏名は従業員コードをもとに図１８の（ａ）の従業員マスタ４１を参照して該当する氏名を取り出して表示したものである。通知対象者の欄に表示された、現在の所属部署内、過去の所属部署内、現在の参加プロジェクト内、過去の参加プロジェクト内の１つ以上を選択し、後述する図５および図６のフローチャートで選択された所属について通知者を抽出する。イベント種類は、登録しようとするイベント種別であって、ここでは、結婚式である。イベント名称は、イベントの名称である。開催日時、参考情報、コメントは、それぞれイベントに対する登録者が適切と考えるイベント名称などを入力する。
【００６０】
以上のイベント登録画面上で、イベント情報を入力し、登録ボタンを押下すると、図１のイベント事務システム２にアップロードして登録し受け付けられることとなる。
【００６１】
図５および図６は、本発明の動作説明図（通知先検索）を示す。これは、既述した図３のＳ１２の詳細説明図を示す。
【００６２】
図５において、Ｓ２１は、検索結果リストを初期化する。ここでは、検索結果リストは、右側に記載した下記の値を設定する変数（配列）を初期化する。
【００６３】
・従業員コード：
・氏名：
・連絡先：
Ｓ２２は、イベントの中心となる人の従業員コードを変数ＥＪに格納する（ここでは、図４の画面上でイベントの中心となる人の従業員コード「１９９８１２１」（斎藤  瞳さん）を変数ＥＪに格納する）。
【００６４】
Ｓ２３は、現在の所属部署内を通知対象とするか判別する。これは、イベント登録した利用者が図４のイベント受付画面上の通知対象の欄で「現在の所属部署内」を選択したか判別する。ＹＥＳの場合には、現在の所属の関係者をＳ２４からＳ２６によりリストに追加する。一方、ＮＯの場合には、スキップしてＳ２７に進む。
【００６５】
Ｓ２４は、Ｓ２３のＹＥＳでイベントの中心となる人の現在の所属部署内を通知先とすると判明したので、従業員マスタ４１で、ＥＪ（＝１９９８１２２）と等しいレコードを取得する。ここでは、図１８の（ａ）の従業員マスタ４１の▲１▼のレコードを検索して見つけて取得する。
【００６６】
Ｓ２５は、従業員マスタで、取得したレコードの所属コード（ここでは、「１００１」）と等しく、かつ従業員コードがＥＪと等しくないレコードを検索する。ここでは、図１８の（ａ）の従業員マスタ４１の▲１▼のレコードの所属コード「１０１１」と等しくかつＥＪと等しくないレコードの従業員コードは
・１９８１０３１
・１９９８１２１
の２つを取り出す。
【００６７】
Ｓ２６は、リストに追加する。これは、Ｓ２５で取り出した、上記例では２つの従業員コードをリスト（通知先リスト）に追加する。
【００６８】
以上のＳ２３のＹＥＳの場合（図４の画面上で、現在の所属部署内が選択された場合）には、Ｓ２４からＳ２６により、イベントの中心となる人の現在の所属（所属コード））が同じ他の従業員コードを全て抽出して通知先リストに追加できたこととなる。
【００６９】
Ｓ２７は、Ｓ２３と同様に、過去の所属部署内を通知対象とするか判別する。これは、イベント登録した利用者が図４のイベント受付画面上の通知対象の欄で「過去の所属部署内」を選択したか判別する。ＹＥＳの場合には、過去の所属の関係者をＳ２８からＳ３１によりリストに追加する。一方、ＮＯの場合には、スキップして図６のＳ３２に進む。
【００７０】
Ｓ２８は、Ｓ２７のＹＥＳでイベントの中心となる人の過去の所属部署内を通知先とすると判明したので、従業員所属履歴テーブル４４で、ＥＪ（＝１９９８１２２）と等しく、かつ現在の日付が所属終了年月日より後のレコードを取得する。例えば後述する図１８の（ｄ）の従業員所属履歴テーブル４４の▲２▼のＥＪと等しい従業員コードのレコードのうちから現在の日付が所属終了年月日より後のレコードとして、▲３▼の右側に記載したレコードを取得する。
【００７１】
Ｓ２９は、従業員所属履歴テーブル４４で、取得した所属コード（▲３▼の例では「１００２」）と等しく、かつ所属開始年月日がし取得した所属終了年月日以前で、かつ所属終了年月日が取得した所属開始年月日以降で、かつ従業員コードがＥＬと等しくないレコードを検索する。ここでは、右側に記載した▲４▼（従業員コード「１９９８１２３」が図１８の（ｄ）のっ従業員所属履歴テーブル４４の▲４▼の従業員コードとして検索（所属コード「１００２」が等しいとして検索）される。
【００７２】
Ｓ３０は、従業員マスタ４１で、Ｓ２９で取得した従業員コードと等しいレコードを検索する。ここでは、右側に記載した▲５▼のように検索する。
される。
【００７３】
Ｓ３１は、リストに追加する。これは、Ｓ３０で取り出した、レコードをリスト（通知先リスト）に追加する。
【００７４】
以上のＳ２７のＹＥＳの場合（図４の画面上で、過去の所属部署内が選択された場合）には、Ｓ２８からＳ３１により、イベントの中心となる人の過去の所属（所属コード））が同じ他の従業員コードを全て抽出して通知先リストに追加できたこととなる。
【００７５】
Ｓ３２は、現在の参加プロジェクトと内を通知対象とするか判別する。これは、イベント登録した利用者が図４のイベント受付画面上の通知対象の欄で「現在の参加プロジェクト内」を選択したか判別する。ＹＥＳの場合には、現在の参加プロジェクトの関係者をＳ３３からＳ３６によりリストに追加する。一方、ＮＯの場合には、スキップしてＳ３７に進む。
【００７６】
Ｓ３３は、Ｓ３２のＹＥＳでイベントの中心となる人の現在の参加プロジェクト内を通知先とすると判明したので、従業員プロジェクト参加履歴テーブル４５で、ＥＪ（＝１９９８１２２）と等しく、かつ現在の日付が参加開始年月日より以降で、かつ現在の日付が参加終了年月日より以前のレコードを取得する。ここでは、図１８の（ｅ）の従業員プロジェクト参加履歴テーブル４５の▲６▼のレコード（プロジェクトコード「Ｐ０１１０１」）を検索して見つけて取得する。
【００７７】
Ｓ３４は、従業員プロジェクト参加履歴テーブル４５で、取得したプロジェクトコード（ここでは、「Ｐ０１１０１」と等しく、かつＥＪと等しくないレコードを検索する。ここでは、図１８の（ｅ）の従業員プロジェクト参加履歴テーブル４５の▲７▼のレコード（従業員コード（１９８１０３１）を検索する。
【００７８】
Ｓ３５は、従業員マスタ４１で、取得した従業員コードと等しいレコードを検索する。ここでは、右側の図１８の（ａ）の従業員マスタ４１の▲８▼を取り出す。
【００７９】
Ｓ３６は、リストに追加する。
【００８０】
以上のＳ３２のＹＥＳの場合（図４の画面上で、現在の参加プロジェクト内が選択された場合）には、Ｓ３３からＳ３６により、イベントの中心となる人の現在の参加プロジェクト（プロジェクトコード）が同じ他の従業員コードを全て抽出して通知先リストに追加できたこととなる。
【００８１】
Ｓ３７は、過去の参加プロジェクトと内を通知対象とするか判別する。これは、イベント登録した利用者が図４のイベント受付画面上の通知対象の欄で「過去の参加プロジェクト内」を選択したか判別する。ＹＥＳの場合には、過去の参加プロジェクトの関係者をＳ３８からＳ４１によりリストに追加する。一方、ＮＯの場合には、Ｓ４２でリストの重複を削除して終了する。
【００８２】
Ｓ３８は、Ｓ３７のＹＥＳでイベントの中心となる人の過去の参加プロジェクト内を通知先とすると判明したので、従業員プロジェクト参加履歴テーブル４５で、ＥＪ（＝１９９８１２２）と等しく、かつ現在の日付が参加終了年月日より後のレコードを取得する。ここでは、図１８の（ｅ）の従業員プロジェクト参加履歴テーブル４５の▲９▼のレコード（プロジェクトコード「Ｐ９８００１」）を検索して見つけて取得する。
【００８３】
Ｓ３９は、従業員プロジェクト参加履歴テーブル４５で、取得したプロジェクトコード（ここでは、「Ｐ９８００１」と等しく、かつＥＪと等しくないレコードを検索する。ここでは、図１８の（ｅ）の従業員プロジェクト参加履歴テーブル４５の▲９▼’のレコード（従業員コード（１９９８１２４）を検索する。
【００８４】
Ｓ４０は、従業員マスタ４１で、取得した従業員コードと等しいレコードを検索する。ここでは、右側の図１８の（ａ）の従業員マスタ４１の▲９▼’’を取り出す。
【００８５】
Ｓ４１は、リストに追加する。
【００８６】
以上のＳ３７のＹＥＳの場合（図４の画面上で、過去の参加プロジェクト内が選択された場合）には、Ｓ３８からＳ４１により、イベントの中心となる人の過去の参加プロジェクト（プロジェクトコード）が同じ他の従業員コードを全て抽出して通知先リストに追加できたこととなる。
【００８７】
図７は、本発明の通知先確認画面例を示す。通知先確認画面は、図示の下記の情報を表示して確認するものである。
【００８８】
・従業員コード：
・氏名：
・イベント名称：
・開催日時：
・通知先選択：
ここで、従業員コードはログイン時に利用者が入力したものであり、氏名は従業員コードをもとに従業員マスタ４１を参照して表示したものである。イベント名称は利用者が入力したイベントの名称であり、右上のイベント情報確認は当該イベント情報確認をクリックするとリンクされているイベント詳細情報（イベント名称、開催日時、参考情報、コメントなど）が表示される。通知先選択は、既述した図５および図６で自動抽出された通知先（関係者）のリスト（一覧）を表示し、この中から適当を思うもの先頭のマークを選択にする。そして、通知ボタンを押下すると、選択された通知先にＷｅｂページや電子メールあるいは通知先の管理ファイルにイベント情報が送付され。後述する図９に示す一覧として表示される。
【００８９】
図８は、本発明の通知イベント表示フローチャートを示す。これは、後述する図９の通知イベントを表示するときの詳細フローチャートを示す。
【００９０】
図８において、Ｓ５１は、現在の日付を表示する。ここでは。２００２年１月２２日を図９の画面の第３行目に示すように表示する。
【００９１】
Ｓ５２は、従業員マスタ４１で、ログイン時に入力した従業員コードと等しいレコードを取得する。ここでは、右側に記載した▲８▼（図１８の（ａ）の従業員マスタ４１の▲８▼）のレコードを取得する。
【００９２】
Ｓ５３は、取得した従業員コードと氏名を表示する。これにより、図９の画面上の第４行、第５行に
・従業員コード：１９８１０３１
・氏名        ：戸田  鈴音
が表示される。
【００９３】
Ｓ５４は、通知履歴テーブル２６で、ログイン時に入力した従業員コードと等しいレコードを取得する。ここでは、図１９の（ｂ）の通知履歴テーブル２６の▲１▼のレコードから右側に記載した下記のを取得する。
【００９４】
・イベント管理コード：１０００５０２
・開封フラグ        ：未
Ｓ５５は、利用履歴テーブル２６で、取得したイベント管理コード（ここでは、「１０００５０２」）と等しいレコードを検索する。
【００９５】
Ｓ５６は、回答履歴テーブル２７で、ログイン時に入力した従業員コードと等しく、かつ取得したイベント管理コードと等しいレコードを取得する。
【００９６】
Ｓ５７は、検索Ａ（Ｓ５４）で取得したデータのうち、開封フラグが「未」のデータを一覧に表示する。行頭には「未」を表示する。イベントの管理コードをリンクの隠し情報として埋め込んでおく。これにより、未開封一覧が図９の画面上に表示されることとなる。
【００９７】
Ｓ５８は、検索Ａ（Ｓ５４）で取得したデータのうち、開封フラグが「済」で、かつ検索Ｂ（Ｓ５６）で該当レコードが存在しなかったデータを一覧に表示する。行頭には「開」を表示する。イベントの管理レコードをリンクの隠し情報として埋め込んでおく。これにより、開封済み一覧が図９の画面上に表示されることとなる。
【００９８】
Ｓ５９は、検索Ａ（Ｓ５４）で取得したデータのうち、開封フラグが「済」で、かつ検索Ｂ（Ｓ５６）で該当レコードが存在するデータを一覧に表示する。行頭に「済」を表示する。イベントの管理コードをリンクの隠し情報として埋め込んでおく。これにより、回答済み一覧が図９の画面上に表示されることとなる。
【００９９】
図９は、本発明の通知イベント画面例を示す。図示の通知イベント画面は、既述した図８のフローチャートに従い表示されたものであり、通知イベント一覧を分りやすく表示したものであって、下段にイベント一覧に、未（開封未）、済（回答済み）、更に、表示されていないが開（開封済み）のいずれかを先頭に表示して通知日、通知者、イベント名称の一覧を表示する。
【０１００】
図１０は、本発明の回答入力画面のフローチャートを示す。これは、既述した図９の画面上で、イベント一覧中から任意のイベントが選択されたときに、例えば後述する図１１の回答入力画面を表示などするフローチャートである。
【０１０１】
図１０において、Ｓ６１は、通知歴テーブル２６で、イベント管理コードと等しいコードの開封フラグが「未」の場合、「済」に変更する。これは、例えば図９の画面のイベント一覧中から先頭のイベントを選択した場合、ここでは開封フラグが「未」であるので「済」に変更されることとなる。
【０１０２】
Ｓ６２は、現在の日付を表示する。
【０１０３】
Ｓ６３は、従業員マスタ４１で。ログイン時に入力した従業員コードと等しいレコードを取得する。例えば右側に記載したように取得する。
【０１０４】
Ｓ６４は、取得した従業員コードと氏名を表示する。
【０１０５】
Ｓ６５は、利用履歴テーブル２５で、イベント管理コードと等しいレコードを取得する。ここでは、図１９の（ａ）の利用履歴テーブル２５から右側に記載したように取得する。
【０１０６】
Ｓ６６は、従業員マスタ４１で、取得した通知従業員コードと等しいレコードを取得する。ここでは、図１８の（ａ）の従業員マスタ４１から右側に記載したように取得する。
【０１０７】
Ｓ６７は、従業員マスタ４１で、他の取得した通知先従業員コードと等しいレコードを取得する。ここでは、図１８の（ａ）の従業員マスタ４１から右側に記載したように取得する。
【０１０８】
Ｓ６８は、取得した通知先従業員コードと氏名、検索条件従業員コードと氏名、イベント名称、イベント開催日時、参考情報を表示する。これは、後述する図１１に示すように表示する。
【０１０９】
Ｓ６９は、、コメント欄表示する。これは、後述する図１２のフローチャートに従い、図１１のコメント欄を表示する。
【０１１０】
Ｓ７０は、回答欄を表示する。これは、図１１の画面上の下段の回答欄（○参加、○不参加）を表示する。
【０１１１】
Ｓ７１は、回答入力する。これは、利用者が表示された図１１の画面上から、回答（○参加、○不参加のいずれか選択回答）する。
【０１１２】
Ｓ７２は、回答するか判別する。ＹＥＳの場合には、Ｓ７３に進む。ＮＯの場合には、利用者が回答しないと決めたので、一覧画面（図９の画面）に戻る。
【０１１３】
Ｓ７３は、参加するか判別する。利用者が図１１の画面上で「○参加」を選択したか判別する。ＹＥＳの場合には、Ｓ７４で回答履歴テーブル２７に参加としてレコードを追加（図１９の（ｃ）の回答履歴テーブル２７に追加）し、Ｓ７６に進む。一方、Ｓ７３のＮＯの場合には、不参加と判明したので、Ｓ７５で回答履歴テーブル２７に不参加としてレコードを追加し、一覧画面（図９の画面）に戻る。
【０１１４】
Ｓ７６は、決済するか判別する。ＹＥＳの場合には、決済処理（図１３）へ進む。ＮＯの場合には、一覧画面（図９）に戻る。
【０１１５】
以上によって、利用者が図９の画面上のイベント一覧からイベントを選択すると、図１１の画面を表示し、利用者が表示されたイベント情報を見て、参加、不参加を回答すると、図１９の（ｃ）の回答履歴テーブル２７に参加、不参加のレコードが追加され、回答結果が自動的に保存されることとなる。
【０１１６】
図１１は、本発明の回答入力画面例を示す。この回答入力画面は、利用者が既述した図９の画面上のイベント一覧がイベントを選択すると自動的に表示され、利用者がイベント情報を見て参加、不参加を決めて下段の回答（○参加、○不参加）のいずれかを選択して回答すると、自動的に図１９の（ｃ）の回答履歴テーブル２７に参加、不参加のレコードとして追加されて自動記録されることとなる。
【０１１７】
図１２は、本発明のコメント欄表示フローチャートを示す。これは、既述した図１０のＳ６９で図１１の回答入力画面上でコメント欄を表示する詳細フローチャートである。
【０１１８】
図１２において、Ｓ８１は、利用履歴テーブル２５で、イベント管理コードと等しいレコードを取得する。例えば図１９の（ａ）の利用履歴テーブル２５から右側に記載したように取得する。
【０１１９】
Ｓ８２は、従業員所属履歴テーブル４４で、取得した検索条件従業員コードと等しいレコードを取得する。例えば図１８の（ｄ）の従業員所属履歴テーブル４４から右側に記載したように取得する。
【０１２０】
Ｓ８３は、従業員所属履歴テーブル４４で、ログイン時に入力した従業員コードと等しく、かつ取得した所属コードと等しく、かつ取得した所属終了年月日以前で、かつ所属開始年月日以降のレコードを取得する。例えば図１８の（ｄ）の従業員所属履歴テーブル４４から右側に記載したように取得する。
【０１２１】
Ｓ８４は、所属プロジェクト設置履歴テーブル４６で、取得した所属コードが等しく、かつ取得した所属終了年月日以前で、かつ所得した所属開始年月日以降のレコードを取得する。例えば図１８の（ｆ）の所属プロジェクト設置履歴テーブル４６から右側に記載したように取得する。
【０１２２】
Ｓ８５は、従業員プロジェクト参加履歴テーブル４５で、検索Ａ（Ｓ８１）で取得した検索条件従業員コードと等しいレコードを取得する。例えば図１８の（ｅ）の従業員プロジェクト参加履歴テーブル４５から右側に記載したように取得する。
【０１２３】
Ｓ８６は、従業員プロジェクト参加履歴テーブル４５で、ログイン時に入力した従業員コードと等しく、かつ取得したプロジェクトコードと等しく、かつ取得した参加終了年月日以前で、かつ取得した参加開始年月日以降のレコードを取得する。例えば図１８の（ｅ）の従業員プロジェクト参加履歴テーブル４５から右側に記載したように取得する。
【０１２４】
Ｓ８７は、所属プロジェクト設置履歴テーブル４６で、取得したプロジェクトコードと等しく、かつ取得した参加終了年月日以前で、かつ取得した参加開始年月日以降のレコードを取得する。例えば図１８の（ｆ）の所属プロジェクト設置履歴テーブル４６から右側に記載したように取得する。
【０１２５】
Ｓ８８は、検索Ａ（Ｓ８１）で取得したコメントに、検索Ｂ（Ｓ８４）および検索Ｃ（Ｓ８７）で取得した名称を追加し、画面に表示する。これは、右側に記載したように表示する。
【０１２６】
以上の手順により、既述した図１１のコメント欄が表示されることとなる。
【０１２７】
図１３は、本発明の決済処理の画面のフローチャートを示す。これは、既述した図１０のＳ７６のＹＥＳで、決済すると判明したときに実行させるものである。
【０１２８】
図１３において、Ｓ９１は、現在の日付を表示する。例えば後述する図１５の決済処理画面上に現在日付を表示する。
【０１２９】
Ｓ９２は、従業員マスタ４１で、ログイン時に入力した従業員コードと等しいレコードを取得する。例えば図１８の（ａ）の従業員マスタ４１から右側に記載したように取得する。
【０１３０】
Ｓ９３は、取得した従業員コードと氏名を表示する。これは、例えば図１５の画面上に、Ｓ９２で取得した従業員コードと氏名を表示する。
【０１３１】
Ｓ９４は、利用履歴テーブル２５で、イベント管理コードと等しいレコードを取得する。例えば図１９の（ａ）の利用履歴テーブル２５から右側に記載したように取得する。
【０１３２】
Ｓ９５は、イベント名称、イベント開催日時、参考情報を表示する。図１５に示すように表示する。
【０１３３】
Ｓ９６は、従業員マスタ４１で、取得した通知先従業員コードと等しいレコードを取得する。例えば図１９の（ａ）の従業員マスタ４１から右側に記載したように取得する。
【０１３４】
Ｓ９７は、取得した通知者（通知先）の従業員コードと氏名を表示する。図１５に示すように表示する。
【０１３５】
Ｓ９８は、従業員マスタ４１で、取得した検索条件従業員コードと等しいレコードを取得する。例えば図１８の（ａ）の従業員マスタ４１から右側に記載したように取得する。
【０１３６】
Ｓ９９は、取得したイベントの中心となる人の従業員コードと氏名を表示する。図１５に示すように表示する。
【０１３７】
Ｓ１００は、回答欄を表示する。
【０１３８】
Ｓ１０１は、入金欄を表示する。
【０１３９】
Ｓ１０２は、イベント別参考情報リストで、取得した種別コードと等しいレコードを取得する。例えば図１９の（ｆ）のイベント別参考情報リストから右側に記載したように取得する。
【０１４０】
Ｓ１０３は、取得した決済方法、指定の値に応じた画面に支払い方法の選択肢（択一選択）を表示する。
【０１４１】
図１４のＳ１０４は、入金指定する。これは、利用者が右側に記載したように、
・入金先：
・入金額：
・支払方法
を指定する。
【０１４２】
Ｓ１０５は、入金するか判別する。ＹＥＳの場合には、Ｓ１０６で決済履歴テーブル２８（図１９の（ｄ））にデータを追加し、Ｓ１０７で既存決済システム連携処理し、一覧画面（図９）に戻る。一方、Ｓ１０５のＮＯの場合には、一覧画面（図９）に戻る。
【０１４３】
以上の手順により図１５の決済画面を表示し、利用者は入金先、入金額、支払方法を選択、入力して決済することが可能となる。
【０１４４】
図１５は、本発明の決済画面例を示す。決済画面は、既述した図１３および図１４のフローチャートに従い表示されたものであって、画面上に表示された内容を見て、決済するときは、利用者は入金先、入金額、支払方法を選択、入力して入金ボタンを押下することで、簡単に決済処理することが可能となる。
【０１４５】
図１６は、本発明の参加者一覧画面例を示す。これは、イベントへの参加者の一覧画面例であって、回答状況（参加、不参加、未回答）を集計して一覧表示したものである（既述した図１９の（ｃ）の回答履歴テーブル２７の回答欄の参加数、不参加数、更に、図１９の（ｂ）の通知履歴テーブル２６の当該イベントの通知先数から参加数、不参加数を除いた人（人数）が未回答数）。
【０１４６】
図１７は、本発明の通知一覧リスト例を示す。ここでは、図示の下記の情報を対応づけて登録して管理する。
【０１４７】
・通知先従業員コード：
・氏名：
・所属コード：
・所属名称：
・ステータス（回答：参加、不参加、未回答）：
・金額：
・通知先：システム、あるいは電子メールアドレスなど
・その他：
以上のように、イベントの中心となる人に関係する人について通知一覧として管理することにより、既述した図１６の通知者の個別の状況および集計結果を正確に管理し、必要に応じて画面上に表示して確認することが可能となる。
【０１４８】
図１８は、本発明のマスタ／テーブル例を示す。
【０１４９】
図１８の（ａ）は、従業員マスタ例を示す。従業員マスタ４１には、図示の下記の情報を対応づけて登録して管理するものである。
【０１５０】
・従業員コード：
・氏名：
・所属コード：
・連絡先：
・その他：
ここで、従業員コードは会社の従業員に付与した一意の識別子である。氏名は従業員の氏名である。所属コードは従業員の所属する部署のコードである。連絡先は電子メールアドレス、電話やＦＡＸの電話番号などの連絡先である。
【０１５１】
図１８の（ｂ）は、所属マスタ例を示す。所属マスタ４２は、所属コードの所属名称を登録したものである。
【０１５２】
図１８の（ｃ）のプロジェクトマスタ例を示す。プロジェクトマスタ４３は、プロジェクトコードに対応づけてプロジェクト名称を登録したものである。
【０１５３】
図１８の（ｄ）は、従業員所属履歴テーブル例を示す。従業員所属履歴テーブル４４は、従業員の過去の所属の履歴を登録したものであって、ここでは、図示の下記を対応づけて登録したものである。
【０１５４】
・従業員コード：
・所属コード：
・所属開始年月日：
・所属終了年月日：
・その他：
ここで、従業員コードは図１８の（ａ）の従業員マスタ４１に登録されている従業員コードである。所属コードは従業員の所属している部署を表す所属コードである。所属開始年月日から所属終了年月日の間、当該エントリの所属コードの部署に所属していたと記録したものである。
【０１５５】
図１８の（ｅ）は、従業員プロジェクト参加履歴テーブル例を示す。従業員プロジェクト参加履歴テーブル４５は、従業員が現在、過去に所属した、所属しているプロジェクトのプロジェクコード、参加開始年月日、参加終了年月日を対応づけて登録したものである。
【０１５６】
図１８の（ｆ）は、所属・プロジェクト設置履歴テーブル例を示す。所属・プロジェクト設置履歴テーブル４６は、所属と、プロジェクト設置履歴を図示の下記の情報で対応付けて登録したものである。
【０１５７】
・ＤＰコード：
・名称：
・設置開始年月日：
・設置終了年月日：
図１９は、本発明のテーブル／リスト例を示す。
【０１５８】
図１９の（ａ）は、利用履歴テーブル例を示す。利用履歴テーブル２５は、図示の下記の情報を対応づけて登録したものである。
【０１５９】
・管理コード：
・利用日：
・通知者（通知先）従業員コード：
・検索条件従業員コード：
・通知対象コード：
・種別コード：
・イベント名称：
・イベント開催日：
・参考情報：
・コメント：
ここで、管理コードはイベントを管理する一意のコードである、利用日は利用した日付（現在日付）ある。通知者従業員コードは登録した従業員の従業員コードである。検索条件従業員コードはイベントの中心となる人の従業員コードである。通知対象コードは通知する対象を表すコードである。種別コードはイベント種別を表すコードである。イベント名称はイベントの分りやすい名称である。イベント開催日はイベントを開催する日時である。参考情報はイベントに参考となる情報である。コメントはイベントに対するコメントである。
【０１６０】
図１９の（ｂ）は、通知履歴テーブル例を示す。通知履歴テーブル２６は、イベント通知した通知者の履歴であって、図示の下記の情報を登録したものである。
【０１６１】
・通知番号：
・通知先従業員コード：
・イベント管理コード：
・開封フラグ：
ここで、通知番号はイベントを通知したときの一意の例えばシーケンシャルな番号である。通知先従業員コードはイベント通知した従業員のコードである。イベント管理コードは通知先従業員に通知したイベントの管理コードである。開封フラグは通知先の従業員が未開封のときに未、開封して見たときに済み、システム外部の人は空白である。
【０１６２】
図１９の（ｃ）は、回答履歴テーブル例を示す。回答履歴テーブル２７は、回答履歴を保存するものであって、図示の下記の情報を対応付けて登録したものである。
【０１６３】
・回答番号：
・回答日：
・回答者従業員コード：
・イベント管理コード：
・回答：
ここで、回答番号は回答に付与した一意のシーケンシャルな番号である。回答日は回答のあった日である。回答者従業員コードは回答のあった従業員コードである。イベント管理コードは回答のあったイベントの管理コードである。回答はイベントへの参加、非参加の区別である。
【０１６４】
図１９の（ｄ）は、決済履歴テーブル例を示す。決済履歴テーブル２８は、イベントに対する参加費用を決済した情報を対応づけて登録したものであって、ここでは、図示の下記の情報を対応づけて登録したものである。
【０１６５】
・決済番号：
・利用日：
・支払者従業員コード：
・受取者従業員コード：
・金額：
・振込先：
・イベント管理コード：
ここで、決済番号は決済した一意の番号である。支払者従業員コードはイベントの参加費用を支払った従業員の従業員コードである。受取者従業員コードは受け取った従業員の従業員コードである。金額は支払った金額である。振込先は金額を振り込む先である。イベント管理コードは費用を支払ったイベントの管理コードである。
【０１６６】
図１９の（ｅ）は、検索条件リスト例を示す。検索条件リストは、通知対象コードに対応づけて検索条件表示文を登録したものである。ここで、検索対象コードは既述した図１９の（ａ）の利用履歴テーブル２５の通知対象コード欄に設定したコードであって、例えば「０１」は現在の所属部署内で検索するというコードである。これら各通知対象コードはＡＮＤ，あるいはＯＲで論理的に記述できる。
【０１６７】
図１９の（ｆ）は、イベント別参考情報リスト例を示す。イベント別参考情報リストは、種別コードに対応づけてイベント名称、決済方法指定欄、参考情報を図示のように登録したものである。
【０１６８】
図１９の（ｇ）は、全社共通認証テーブル例を示す。全社共通認証テーブルは、ログインするときに従業員が入力する従業員コードに対応づけてパスワードを登録し、従業員の認証を行なうためのものである。
【０１６９】
（付記１）
イベントに対する連絡者の一覧を提示するイベント支援方法において、
連絡対象者のＩＤに対応づけて氏名および所属情報を少なくとも登録したマスタを設け、
イベントの中心となる人の上記ＩＤあるいは氏名の入力に対応して、上記マスタから当該ＩＤあるいは氏名に対応する所属情報を抽出し、当該抽出した所属情報が同一あるいは必要に応じて類似の所属情報の他の氏名および必要に応じてＩＤを抽出するステップと、
上記抽出した氏名および必要に応じて抽出したＩＤの一覧を連絡対象者一覧として提示するステップと
を有するイベント支援方法。
【０１７０】
（付記２）
上記所属情報として現在および過去の所属情報としたことを特徴とする付記１記載のイベント支援方法。
【０１７１】
（付記３）
上記所属情報として現在および過去の所属情報と当該所属情報に所属していた期間としたことを特徴とする付記１記載のイベント支援方法。
【０１７２】
（付記４）
上記連絡対象者一覧中の全連絡対象者あるいは指定された連絡対象者に、イベント情報、参加の有無の回答欄、および必要に応じて参加費用と支払方法の回答欄を設定した電子データを送信あるいはアクセスさせ、送信あるいはアクセスしたときに済みを記録するステップを有する付記１から付記３のいずれかに記載のイベント支援方法。
【０１７３】
（付記５）
連絡対象者から回答を受信したときに、上記連絡対象者一覧中から該当者の回答欄を受信済み、参加欄に参加の有無、必要に応じて参加費用欄に支払方法を記録するステップを有する付記４記載のイベント支援方法。
【０１７４】
（付記６）
上記記録した回答欄、参加欄、および必要に応じて参加費用欄の情報を集計して一覧を作成して提示するステップを有する付記５記載のイベント支援方法。
【０１７５】
（付記７）
イベントに対する連絡者の一覧を提示するイベント支援プログラムにおいて、連絡対象者のＩＤに対応づけて氏名および所属情報を少なくとも登録したマスタを設け、
イベントの中心となる人の上記ＩＤあるいは氏名の入力に対応して、上記マスタから当該ＩＤあるいは氏名に対応する所属情報を抽出し、当該抽出した所属情報が同一あるいは必要に応じて類似の所属情報の他の氏名および必要に応じてＩＤを抽出するステップと、
上記抽出した氏名および必要に応じて抽出したＩＤの一覧を連絡対象者一覧として提示するステップと
してコンピュータに機能させるためのイベント支援プログラム。
【０１７６】
（付記８）
イベントに対する連絡者の一覧を提示するイベント支援装置において、
連絡対象者のＩＤに対応づけて氏名および所属情報を少なくとも登録したマスタと、
イベントの中心となる人の上記ＩＤあるいは氏名の入力に対応して、上記マスタから当該ＩＤあるいは氏名に対応する所属情報を抽出し、当該抽出した所属情報が同一あるいは必要に応じて類似の所属情報の他の氏名および必要に応じてＩＤを抽出する手段と、
上記抽出した氏名および必要に応じて抽出したＩＤの一覧を連絡対象者一覧として提示する手段と
を備えたことを特徴とするイベント支援装置。
【０１７７】
（付記９）
イベントに対する連絡者の一覧を提示するイベント支援プログラムを記録したコンピュータ読取可能な記録媒体において、
連絡対象者のＩＤに対応づけて氏名および所属情報を少なくとも登録したマスタを設け、
イベントの中心となる人の上記ＩＤあるいは氏名の入力に対応して、上記マスタから当該ＩＤあるいは氏名に対応する所属情報を抽出し、当該抽出した所属情報が同一あるいは必要に応じて類似の所属情報の他の氏名および必要に応じてＩＤを抽出するステップと、
上記抽出した氏名および必要に応じて抽出したＩＤの一覧を連絡対象者一覧として提示するステップと
して機能させるプログラムを記録したコンピュータ読取可能な記録媒体。
【０１７８】
【発明の効果】
以上説明したように、本発明によれば、イベント情報を登録すると、人事情報データベース４などを検索してイベント情報に関連する現在、過去に関係した連絡者を自動抽出し一覧を提示してもれをなくすと共に、Ｗｅｂページや電子メールなどで関係者にイベント情報、参加の有無、費用などを連絡して回答および費用の払込を受けて集計する構成を採用しているため、イベントにおける連絡者一覧をもれなく作成して配送し、回答を得て参加者、非参加者を自動集計して提示し、従来の幹事さんの手作業をなくすことが可能となる。
【図面の簡単な説明】
【図１】本発明のシステム構成図である。
【図２】本発明の説明図である。
【図３】本発明の説明図（イベント登録）である。
【図４】本発明のイベント受付画面例である。
【図５】本発明の説明図（通知先検索、その１）である。
【図６】本発明の説明図（通知先検索、その２）である。
【図７】本発明の通知先確認画面例である。
【図８】本発明の通知イベント表示フローチャートである。
【図９】本発明の通知イベント画面例である。
【図１０】本発明の回答入力画面のフローチャートである。
【図１１】本発明の回答入力画面例である。
【図１２】本発明のコメント欄表示フローチャートである。
【図１３】本発明の決済処理画面のフローチャート（その１）である。
【図１４】本発明の決済処理画面のフローチャート（その２）である。
【図１５】本発明の決済画面例である。
【図１６】本発明の参加者一覧画面例である。
【図１７】本発明の通知一覧リスト例である。
【図１８】本発明のマスタ／テーブル例である。
【図１９】本発明のテーブル／リスト例である。
【符号の説明】
１：サーバ
２：イベント事務システム
２１：イベント受付プログラム
２２：通知先検索プログラム
２３：イベント決済プログラム
２４：参加者確認プログラム
２５：利用履歴テーブル
２６：通知履歴テーブル
２７：回答履歴テーブル
２８：決済履歴テーブル
２９：給与振込システム
３０：経費精算システム
３１：地図検索システム
４：人事情報データベース
４１：従業員マスタ
４２：所属マスタ
４３：プロジェクトマスタ
４４：従業員所属履歴テーブル
４５：従業員プロジェクト参加履歴テーブル
４６：所属プロジェクト設置履歴テーブル
５：ネットワーク
６：利用者端末
【図１】
0004004829.tif 000002
【図２】
0004004829.tif 000003
【図３】
0004004829.tif 000004
【図４】
0004004829.tif 000005
【図５】
0004004829.tif 000006
【図６】
0004004829.tif 000007
【図７】
0004004829.tif 000008
【図８】
0004004829.tif 000009
【図９】
0004004829.tif 000010
【図１０】
0004004829.tif 000011
【図１１】
0004004829.tif 000012
【図１２】
0004004829.tif 000013
【図１３】
0004004829.tif 000014
【図１４】
0004004829.tif 000015
【図１５】
0004004829.tif 000016
【図１６】
0004004829.tif 000017
【図１７】
0004004829.tif 000018
【図１８】
0004004829.tif 000019
【図１９】
0004004829.tif 000020